(57)【要約】【課題】ヘッドアクチュエータ部材を確実に拘束することができる記録媒体駆動装置を提供する。【解決手段】ヘッドアクチュエータ部材１６が支軸１８回りの揺動に基づきランプ部材２８から離脱する際、突出片４１は所定の移動経路を辿る。その一方で、ラッチ部材４２は、作動位置で突出片４１の移動経路に進入し突出片４１の揺動を拘束する。作動位置のラッチ部材４２上で第１磁性体４９はボイスコイルモータ２３の磁気的引力に引き寄せられる。ラッチ部材４２は作動位置に留まることができる。したがって、たとえヘッドアクチュエータ部材１６の揺動がラッチ部材４２の揺動より遅れたとしても、ラッチ部材４２は確実に突出片４１の揺動を拘束することができる。ヘッドスライダ２２および記録媒体１４の間で接触は回避される。ヘッドスライダ２２および記録媒体１４の吸着は回避される。【選択図】図５
2007172801.tif 000002
【特許請求の範囲】
【請求項１】
支軸回りに回転動作するヘッドアクチュエータ部材と、前記ヘッドアクチュエータ部材を駆動するボイスコイルモータと、前記ヘッドアクチュエータ部材に形成され、所定の移動経路を辿る突出部と、回転軸回りの揺動に基づき前記突出部の移動経路に進入する作動位置で前記突出部の回転動作を拘束するラッチ部材とを備え、前記ラッチ部材には、作動位置で前記ボイスコイルモータから作用する磁気的引力に引き寄せられる第１磁性体が配置されることを特徴とする記録媒体駆動装置。
【請求項２】
請求項１に記載の記録媒体駆動装置において、前記ラッチ部材には、前記突出部の移動経路から離脱する待機位置で前記ボイスコイルモータから作用する磁気的引力に引き寄せられる第２磁性体が配置されることを特徴とする記録媒体駆動装置。
【請求項３】
請求項２に記載の記録媒体駆動装置において、前記回転軸から前記第１磁性体までの距離は、前記回転軸から前記第２磁性体までの距離よりも大きいことを特徴とする記録媒体駆動装置。
【請求項４】
請求項３に記載の記録媒体駆動装置において、前記ラッチ部材は、前記ヘッドアクチュエータ部材の前記突出部に接触する平坦面を備えることを特徴とする記録媒体駆動装置。
【発明の詳細な説明】
【技術分野】
【０００１】
本発明は、例えばハードディスク駆動装置（ＨＤＤ）といった記録媒体駆動装置に関し、特に、記録媒体と、記録媒体の外側に配置されるランプ部材とを備える記録媒体駆動装置に関する。
【背景技術】
【０００２】
ＨＤＤにはヘッドアクチュエータ部材すなわちキャリッジが組み込まれる。キャリッジは所定の移動経路に沿って支軸回りで揺動する。キャリッジが磁気ディスクの外側に向かって順方向に最大限に揺動すると、キャリッジは休止位置に位置決めされる。キャリッジの先端はランプ部材に受け止められる。その一方で、キャリッジが順方向とは反対の逆方向に向かって揺動すると、キャリッジの先端はランプ部材から離脱する。
【０００３】
こうしたＨＤＤにはラッチ部材が組み込まれる。ラッチ部材は待機位置から所定の回転軸回りで揺動する。ラッチ部材が最大回転角で揺動すると、ラッチ部材はキャリッジの移動経路に進入する。ラッチ部材は待機位置でキャリッジの移動経路から離脱する。こうしてキャリッジはランプ部材から離脱することができる。
【特許文献１】特許第３２２９２５２号公報
【特許文献２】特開２０００−２２２８３８号公報
【特許文献３】特開２００３−１５１２２６号公報
【発明の開示】
【発明が解決しようとする課題】
【０００４】
磁気ディスクの静止時に例えばＨＤＤに落下の衝撃が加えられると、キャリッジには例えば順方向に駆動力が生成される。キャリッジは休止位置から順方向に揺動する。同時に、落下の衝撃でラッチ部材には駆動力が生成される。ラッチ部材は待機位置から揺動する。こうしてラッチ部材はキャリッジの移動経路に進入する。こうしてラッチ部材はキャリッジの揺動を拘束する。キャリッジはランプ部材上に保持される。
【０００５】
しかしながら、例えばキャリッジの始動が遅れると、キャリッジの揺動はラッチ部材の揺動に同期することができない。例えば衝撃の跳ね返りでラッチ部材は待機位置に戻されてしまう。ラッチ部材はキャリッジを拘束することができない。キャリッジはランプ部材から離脱する。ヘッドスライダは磁気ディスクの表面に接触する。ヘッドスライダは磁気ディスクの表面に吸着してしまう。磁気ディスクの回転は妨げられてしまう。
【０００６】
本発明は、上記実状に鑑みてなされたもので、ヘッドアクチュエータ部材を確実に拘束することができる記録媒体駆動装置を提供することを目的とする。
【課題を解決するための手段】
【０００７】
上記目的を達成するために、本発明によれば、支軸回りに回転動作するヘッドアクチュエータ部材と、前記ヘッドアクチュエータ部材を駆動するボイスコイルモータと、前記ヘッドアクチュエータ部材に形成され、所定の移動経路を辿る突出部と、回転軸回りの揺動に基づき前記突出部の移動経路に進入する作動位置で前記突出部の回転動作を拘束するラッチ部材とを備え、前記ラッチ部材には、作動位置で前記ボイスコイルモータから作用する磁気的引力に引き寄せられる第１磁性片が配置されることを特徴とする記録媒体駆動装置が提供される。
【０００８】
こうした記録媒体駆動装置では、作動位置のラッチ部材上で第１磁性体はボイスコイルモータの磁気的引力に引き寄せられる。ラッチ部材は作動位置に留まることができる。したがって、たとえヘッドアクチュエータ部材の揺動がラッチ部材の揺動より遅れたとしても、ラッチ部材は確実に突出部の回転動作を拘束することができる。その結果、ヘッドアクチュエータ部材の揺動は拘束されることができる。
【０００９】
ラッチ部材には、突出部の移動経路から離脱する待機位置でボイスコイルモータから作用する磁気的引力に引き寄せられる第２磁性体が配置される。こういった記録媒体駆動装置では、第２磁性体の働きでラッチ部材は強制的に作動位置から待機位置に向かって駆動される。第１磁性体はボイスコイルモータの磁気的引力から解き放たれる。こうしてラッチ部材は待機位置に復帰することができる。突出部は移動経路を辿ることができる。
【００１０】
こういった記録媒体駆動装置では、回転軸から第１磁性体までの距離は、回転軸から第２磁性体までの距離よりも大きく設定されればよい。こうした設定によれば、第１磁性体の単位回転角当たりの移動量は第２磁性体の単位回転角当たりの移動量に比べて大きく設定されることができる。こうして回転角の増大に応じて第２磁性体は徐々に磁気的引力から解放される一方で第１磁性体に作用する磁気的引力は急激に増大する。その結果、ラッチ部材の待機位置で第２磁性体に作用する磁気的引力に比べて、ラッチ部材の作動位置で第１磁性体に作用する磁気的引力は大きく設定されることができる。
【００１１】
ラッチ部材は、ヘッドアクチュエータ部材の前記突出部に接触する平坦面を備えてもよい。ヘッドアクチュエータ部材は支軸回りで回転動作する。突出部は作動位置のラッチ部材に接触する。ラッチ部材は平坦面の一端でヘッドアクチュエータ部を受け止める。さらにヘッドアクチュエータ部材が揺動すると、平坦面の一端は回転軸回りに押し回される。こうしてラッチ部材は回転軸回りで作動位置から待機位置に向かって押し戻される。押し戻されるにつれて平坦面はヘッドアクチュエータ部材の壁面に接近していく。ラッチ部材が平坦面全体でヘッドアクチュエータ部材に接触すると、ラッチ部材の回転は拘束される。同時に、ラッチ部材とアクチュエータ部材との拘束は維持される。
【発明の効果】
【００１２】
以上のように本発明によれば、記録媒体駆動装置に衝撃が加えられる際に、ヘッドアクチュエータ部材を確実に拘束することができ、例えばヘッドスライダおよび記録媒体の接触を防止することができる記録媒体駆動装置は提供されることができる。
【発明を実施するための最良の形態】
【００１３】
以下、添付図面を参照しつつ本発明の一実施形態を説明する。
【００１４】
図１は本発明に係る記録媒体駆動装置の一具体例すなわちハードディスク駆動装置（ＨＤＤ）１１の内部構造を概略的に示す。このＨＤＤ１１は箱形の筐体すなわちハウジング１２を備える。ハウジング１２は、例えば平たい直方体の内部空間すなわち収容空間を区画する箱形のベース１３を備える。ベース１３は例えばアルミニウムといった金属材料から鋳造に基づき成形されればよい。
【００１５】
ベース１３には蓋体すなわちカバー（図示されず）が結合される。カバーとベース１３との間で収容空間は密閉される。カバーは例えばプレス加工に基づき１枚の板材から成形されればよい。板材には例えばアルミニウムの金属板が用いられればよい。板材は例えば積層材から構成されてもよい。
【００１６】
収容空間には、記録媒体としての１枚以上の磁気ディスク１４が収容される。磁気ディスク１４はスピンドルモータ１５の回転軸に装着される。スピンドルモータ１５は例えば５４００ｒｐｍや７２００ｒｐｍ、１００００ｒｐｍ、１５０００ｒｐｍといった高速度で磁気ディスク１４を回転させることができる。
【００１７】
収容空間にはヘッドアクチュエータ部材すなわちキャリッジ１６がさらに収容される。このキャリッジ１６はキャリッジブロック１７を備える。キャリッジブロック１７は、垂直方向に延びる支軸１８に回転自在に連結される。キャリッジブロック１７には、支軸１８から水平方向に延びる複数のキャリッジアーム１９が区画される。キャリッジブロック１７は例えば押し出し成形に基づきアルミニウムから成型されればよい。
【００１８】
個々のキャリッジアーム１９の先端には、キャリッジアーム１９から前方に延びるヘッドサスペンション２１が取り付けられる。ヘッドサスペンション２１の先端にはいわゆるジンバルばね（図示されず）が接続される。ジンバルばねの表面に浮上ヘッドスライダ２２は固定される。こうしたジンバルばねの働きで浮上ヘッドスライダ２２はヘッドサスペンション２１に対してその姿勢を変化させることができる。
【００１９】
浮上ヘッドスライダ２２にはいわゆる磁気ヘッドすなわち電磁変換素子（図示されず）が搭載される。この電磁変換素子は、例えば、薄膜コイルパターンで生成される磁界を利用して磁気ディスク１４に情報を書き込む薄膜磁気ヘッドといった書き込み素子と、スピンバルブ膜やトンネル接合膜の抵抗変化を利用して磁気ディスク１４から情報を読み出す巨大磁気抵抗効果（ＧＭＲ）素子やトンネル接合磁気抵抗効果（ＴＭＲ）素子といった読み出し素子とで構成されればよい。
【００２０】
磁気ディスク１４の回転に基づき磁気ディスク１４の表面で気流が生成されると、気流の働きで浮上ヘッドスライダ２２には正圧すなわち浮力および負圧が作用する。浮力および負圧とヘッドサスペンション２１の押し付け力とが釣り合うことで磁気ディスク１４の回転中に比較的に高い剛性で浮上ヘッドスライダ２２は浮上し続けることができる。
【００２１】
こういった浮上ヘッドスライダ２２の浮上中にキャリッジ１６が支軸１８回りで回転動作すると、浮上ヘッドスライダ２２は磁気ディスク１４の半径線に沿って移動することができる。その結果、浮上ヘッドスライダ２２上の電磁変換素子は最内周記録トラックと最外周記録トラックとの間でデータゾーンを横切ることができる。こうして浮上ヘッドスライダ２２上の電磁変換素子は目標の記録トラック上に位置決めされる。
【００２２】
キャリッジブロック１７にはボイスコイルモータ（ＶＣＭ）２３が連結される。キャリッジブロック１７には、支軸１８から水平方向に延びる支持体２４が一体に形成される。支持体２４にはＶＣＭ２３のコイル２５が巻き付けられる。支持体２４は、ＶＣＭ２３に固定される永久磁石２６に向き合わせられる。電流の供給に応じてコイル２５で磁界が生成されると、キャリッジブロック１７すなわちキャリッジ１６の揺動は引き起こされる。
【００２３】
ヘッドサスペンション２１の先端には、ヘッドサスペンション２１の先端から前方に延びるロード部材すなわちロードタブ２７が固定される。ロードタブ２７はキャリッジ１６の揺動に基づき磁気ディスク１４の半径方向に移動することができる。ロードタブ２７の移動経路上には磁気ディスク１４の外側でランプ部材２８が配置される。ロードタブ２７はランプ部材２８の表面に受け止められる。
【００２４】
ランプ部材２８は、磁気ディスク１４の外側でベース１３の底板に例えばねじ留めされる取り付け台２９を備える。取り付け台２９には、キャリッジ１６の支軸１８に向かって水平面に沿って突き出る突片３１が形成される。突片３１は例えば一体成型に基づき取り付け台２９に一体化される。突片３１の先端は最外周記録トラックの外側で非データゾーンに向き合わせられる。ランプ部材２８およびロードタブ２７は協働でいわゆるロードアンロード機構を構成する。ランプ部材２８は例えば硬質プラスチック材料から成型されればよい。
【００２５】
キャリッジ１６には保持機構３２が組み合わせられる。この保持機構３２は、ベース１３上に固定される永久磁石３３と、永久磁石３３に向き合わせられる磁性片すなわち金属片３４とを備える。永久磁石３３は、ベース１３に固定される支持部材３５に埋め込まれる。支持部材３５は例えばゴムといった弾性樹脂材料から形成される。金属片３４は支持体２４の一端に取り付けられる。永久磁石３３は金属片３４に磁気的引力を作用させる。磁気的引力の働きで支持体２４と支持部材３５とは接触を維持する。
【００２６】
図１から明らかなように、キャリッジ１６が磁気ディスク１４の外側に向かって順方向Ｄ１に最大限に揺動すると、金属片３４は支持部材３５に受け止められる。ロードタブ２７はランプ部材２８上に保持される。こうしてキャリッジ１６は休止位置に位置決めされる。その一方で、キャリッジ１６が休止位置から順方向Ｄ１とは反対の逆方向Ｄ２に向かって揺動すると、ロードタブ２７はランプ部材２８から離脱する。
【００２７】
キャリッジ１６の支持体２４には突出片４１が形成される。突出片４１は、支軸１８の軸心を中心に描かれる仮想円上に延びる。こうした突出片４１は支持体２４に一体に形成されればよい。突出片４１はキャリッジ１６すなわち支持体２４の揺動に基づき前述の仮想円上で所定の移動経路に沿って移動する。
【００２８】
突出片４１にはラッチ部材４２が関連付けられる。ラッチ部材４２は所定の回転軸４３に回転自在に支持される。回転軸４３はベース１３から垂直方向に直立する。ラッチ部材４２は、回転軸４３から水平方向に相互に反対向きに延びる第１および第２揺動片４４、４５を備える。図２に示されるように、ラッチ部材４２が回転軸４３回りで待機位置に位置決めされると、第１揺動片４４は突出片４１の移動経路から離脱する。第１揺動片４４は、ベース１３に一体化される受け部材４６に受け止められる。受け部材４６は第１方向ＦＤにラッチ部材４２の回転を阻止する。
【００２９】
ラッチ部材４２は第１方向ＦＤに反対向きの第２方向ＳＤに回転軸４３回りで待機位置から回転する。ラッチ部材４２が最大回転角で回転すると、ラッチ部材４２は作動位置を確立する。図３に示されるように、第１揺動片４４は突出片４１の移動経路に進入する。第２揺動片４５は、ベース１３に一体化される受け部材４７に受け止められる。受け部材４７は第２方向ＳＤにラッチ部材４２の回転を阻止する。ここでは、最大回転角は１５度に設定される。ラッチ部材４２は例えばポリアセタール樹脂（ＰＯＭ）といった樹脂材料から成型されればよい。
【００３０】
第１揺動片４４には平坦面４８が区画される。平坦面の一端は支軸１８や回転軸４３に平行に延びる。ラッチ部材４２が作動位置に位置決めされると、この一端で平坦面４８は突出片４１に接触することができる。逆方向Ｄ２に向かって支軸１８回りで揺動する突出片４１は受け止められる。作動位置が確立されると、支軸１８から遠ざかるにつれて平坦面４８と突出片４１との間隔は増大する。平坦面４８は支軸１８や回転軸４３に平行に広がればよい。
【００３１】
第１揺動片４４上には第１磁性片４９が配置される。ラッチ部材４２が回転軸４３回りに最大回転角で回転すると、第１磁性片４９はＶＣＭ２３のヨーク部材（図示されず）から作用する磁気的引力の影響に曝される。こういった磁気的引力の作用でラッチ部材４２は作動位置に保持される。第１磁性片４９は例えば鉄球から構成されればよい。第１磁性片４９は樹脂材料中に埋め込まれればよい。
【００３２】
第２揺動片４５上には第２磁性片５１が配置される、ラッチ部材４２が待機位置に位置決めされると、第２磁性片５１はＶＣＭ２３のヨーク部材から作用する磁気的引力の影響に曝される。こういった磁気的引力の作用でラッチ部材４２は待機位置に保持される。第２磁性片５１は例えば鉄球から構成されればよい。第２磁性片５１は樹脂材料中に埋め込まれればよい。
【００３３】
ここでは、回転軸４３から第１磁性片４９までの距離は回転軸４３から磁性片５１までの距離よりも著しく大きく設定される。したがって、第１磁性片４９の単位回転角当たりの移動量は第２磁性片５１の単位回転角当たりの移動量に比べて著しく大きい。図４から明らかなように、第２磁性片５１は回転角０度から回転角１４度の範囲でヨーク部材の磁界中に留まり続ける一方で、第１磁性片４９は回転角１０度から回転角１５度の範囲でヨーク部材の磁界中に配置される。回転角度の増大に応じて、第２磁性片５１は徐々にヨーク部材の磁気的引力から解放される一方でヨーク部材から第１磁性片４９に作用する磁気的引力は急激に増大する。その結果、ラッチ部材４２の待機位置で第２磁性片５１に作用する磁気的引力に比べて、ラッチ部材４２の作動位置で第１磁性片４９に作用する磁気的引力は著しく大きく設定されることができる。こうして回転角が１１度を超えると、第１磁性片４９に基づく磁気的引力は第２磁性片５１に基づく磁気的引力を上回る。回転角が１１度を超えるまで、ラッチ部材４２には第１方向ＦＤにトルクが作用する。回転角が１１度を超えると、ラッチ部材４２には第２方向ＳＤにトルクが作用する。
【００３４】
いま、磁気ディスク１４の回転が停止する場面を想定する。ラッチ部材４２は待機位置に位置決めされる。情報の書き込みや読み出しが完了すると、ＶＣＭ２３は支軸１８回りで順方向Ｄ１にキャリッジ１６を回転させる。キャリッジアーム１９およびヘッドサスペンション２１は磁気ディスク１４の外側に向かって駆動される。浮上ヘッドスライダ２２が最外周記録トラックを越えてランディングゾーンすなわち非データゾーンに向き合うと、ロードタブ２７は突片３１に接触する。さらにキャリッジアーム１９が揺動すると、ロードタブ２７は突片３１上の傾斜面を登っていく。ロードタブ２７は磁気ディスク１４の表面から引き離される。
【００３５】
キャリッジアーム１９が順方向Ｄ１にさらに揺動すると、ロードタブ２７は突片３１上を摺動する。ロードタブ２７が最大限に磁気ディスク１４から外側に遠ざかると、支持体２４の金属片３４は支持部材３５に受け止められる。ロードタブ２７はランプ部材２８上に位置決めされる。こうしてキャリッジ１６は休止位置に位置決めされる。磁気ディスク１４の回転は停止する。ロードタブ２７はランプ部材２８上に保持されることから、無風状態にも拘わらず磁気ディスク１４に対する浮上ヘッドスライダ２２の衝突や接触は回避されることができる。磁気ディスク１４の表面に広がる潤滑剤と浮上ヘッドスライダ２２との吸着は効果的に阻止されることができる。
【００３６】
ＨＤＤ１１が情報の書き込みや読み出しといった指令を受け取ると、まず、磁気ディスク１４の回転が始まる。磁気ディスク１４の回転が定常状態に達すると、ＶＣＭ２３は逆方向Ｄ２に支軸１８回りにキャリッジ１６を回転させる。キャリッジアーム１９およびヘッドサスペンション２１は磁気ディスク１４の回転軸に向かって駆動される。ロードタブ２７は突片３１上を摺動していく。キャリッジアーム１９の揺動に基づきロードタブ２７は突片３１上の傾斜面を下っていく。
【００３７】
こうしてロードタブ２７が傾斜面を下っていく間に浮上ヘッドスライダ２２は磁気ディスク１４の表面に向き合う。浮上ヘッドスライダ２２には、磁気ディスク１４の表面に沿って生成される気流に基づき浮力が付与される。キャリッジアーム１９が逆方向Ｄ２にさらに揺動すると、ロードタブ２７はランプ部材２８から離脱する。磁気ディスク１４が定常状態で回転する結果、ランプ部材２８に支えられなくても浮上ヘッドスライダ２２は磁気ディスク１４の表面から浮上し続けることができる。こうしてキャリッジ１６は所定の移動経路を辿る。
【００３８】
いま、ＨＤＤ１１の電源が切られた状態を想定する。電源が切られた状態では、図１に示されるように、永久磁石３３の磁気的引力の働きで金属片３４および支持部材３５の接触は維持される。キャリッジ１６は休止位置に保持される。その一方で、ラッチ部材４２は待機位置に位置決めされる。待機位置では第１方向ＦＤにトルクが作用することから、ラッチ部材４２は待機位置に留まる。このとき、例えば落下の衝撃に基づき逆方向Ｄ２に駆動力が生成されると、キャリッジ１６は永久磁石３３の磁気的引力に抗して支軸１８回りで休止位置から逆方向Ｄ２に揺動する。支持体２４は支軸１８回りで揺動する。ロードタブ２７は磁気ディスク１４の表面に向かって突片３１上を摺動する。
【００３９】
同時に、ラッチ部材４２は第１方向ＦＤのトルクに抗して回転軸４３回りで第２方向ＳＤに揺動する。ラッチ部材４２は１５度の最大回転角で回転する。第２揺動片４５は受け部材４７に受け止められる。その結果、図５に示されるように、第１揺動片４４はキャリッジ１６の移動経路に進入する。ラッチ部材４２は作動位置に位置決めされる。作動位置では第２方向ＳＤにトルクが作用することから、ラッチ部材４２は作動位置に留まる。こうして、図６に示されるように、突出片４１は作動位置のラッチ部材４２に接触する。ラッチ部材４２は平坦面４８の一端で突出片４１を受け止める。このとき、平坦面４８は、その一端から支軸１８との距離を増大させるにつれて突出片４１の壁面との間隔を広げる。
【００４０】
さらにキャリッジ１６が揺動すると、平坦面４８の一端は回転軸４３回りに押し回される。こうしてラッチ部材４２は第２方向ＳＤのトルクに抗して回転軸４３回りで作動位置から待機位置に向かって押し戻される。押し戻されるにつれて平坦面４８は突出片４１の壁面に接近していく。こうしてラッチ部材４２が例えば４度を超える回転角で押し戻されると、図７に示されるように、ラッチ部材４２は平坦面４８全体で突出片４１の壁面に接触する。こうしてラッチ部材４２は拘束位置に位置決めされる。ラッチ部材４２の回転は拘束される。同時に、ラッチ部材４２とキャリッジ１６との拘束は維持される。キャリッジ１６の揺動は拘束される。磁気ディスク１４に向かうロードタブ２７の移動は突片３１上で拘束される。浮上ヘッドスライダ２２と磁気ディスク１４との間で接触は回避される。浮上ヘッドスライダ２２および磁気ディスク１４の吸着は回避される。
【００４１】
その後、キャリッジ１６が支軸１８回りで順方向Ｄ１に向かって揺動すると、キャリッジ１６とラッチ部材４２との拘束は解消される。拘束位置では第２方向ＳＤにトルクは作用する。ラッチ部材４２は第２方向ＳＤに揺動する。ラッチ部材４２は拘束位置から待機位置に向かって強制的に回転駆動される。ラッチ部材４２は待機位置に確実に復帰することができる。
【００４２】
以上のようなＨＤＤ１１によれば、作動位置では第１磁性片４９はヨーク部材の磁気的引力に引き寄せられる。ラッチ部材４２は作動位置に留まることができる。したがって、たとえキャリッジ１６の揺動がラッチ部材４２の揺動より遅れたとしても、ラッチ部材４２は確実にキャリッジ１６の揺動を拘束することができる。浮上ヘッドスライダ２２と磁気ディスク１４との間で接触は回避される。浮上ヘッドスライダ２２および磁気ディスク１４の吸着は回避される。
【００４３】
次に、ＨＤＤ１１に電源が入れられる場面を想定する。まず、ラッチ部材４２が作動位置に位置決めされる一方でキャリッジ１６が休止位置に位置決めされる場合を想定する。ＨＤＤ１１に電源が入れられると、キャリッジ１６では逆方向Ｄ２に駆動力が生成される。キャリッジ１６は支軸１８回りで休止位置から逆方向Ｄ２に揺動する。前述と同様に、突出片４１は作動位置のラッチ部材４２に接触する。さらにキャリッジ１６が揺動すると、ラッチ部材４２は平坦面４８全体で突出片４１の壁面に接触する。こうしてラッチ部材４２は拘束位置に位置決めされる。その後、キャリッジ１６は支軸１８回りで順方向Ｄ１に向かって回転駆動される。キャリッジ１６とラッチ部材４２との拘束は解消される。拘束位置では第２方向ＳＤにトルクは作用する。ラッチ部材４２は待機位置に復帰する。キャリッジアーム１９が逆方向Ｄ２に揺動すると、ロードタブ２７はランプ部材２８から離脱することができる。
【００４４】
次に、ＨＤＤ１１に電源が入れられる際に、ラッチ部材４２およびキャリッジ１６の拘束が維持される場合を想定する。ＨＤＤ１１に電源が入れられると、キャリッジ１６には順方向Ｄ１に駆動力が生成される。キャリッジ１６は支軸１８回りで順方向Ｄ１に向かって回転駆動される。キャリッジ１６とラッチ部材４２との拘束は解消される。拘束位置では第２方向ＳＤにトルクは作用する。ラッチ部材４２は待機位置に復帰する。このとき、キャリッジアーム１９が逆方向Ｄ２に揺動すると、ロードタブ２７はランプ部材２８から離脱することができる。以上のように、ＨＤＤ１１に電源が入れられる際に、ラッチ部材４２がたとえ作動位置に位置決めされたとしても、ラッチ部材４２は確実に待機位置に復帰することができる。
【図面の簡単な説明】
【００４５】
【図１】本発明に係る記録媒体駆動装置の一具体例すなわちハードディスク駆動装置（ＨＤＤ）の内部構造を概略的に示す平面図である。
【図２】ＨＤＤの内部構造を概略的に示す部分拡大平面図である。
【図３】ＨＤＤの内部構造を概略的に示す部分拡大平面図である。
【図４】ラッチ部材の回転角とトルクとの関係を示すグラフである。
【図５】ラッチ部材が待機位置から作動位置に向かって回転駆動される様子を概略的に示す部分拡大平面図である。
【図６】作動位置でラッチ部材がヘッドアクチュエータ部材を受け止める様子を概略的に示す部分拡大平面図である。
【図７】拘束位置でラッチ部材とヘッドアクチュエータ部材とが拘束される様子を概略的に示す部分拡大平面図である。
【符号の説明】
【００４６】
１１  記録媒体駆動装置としてのハードディスク駆動装置（ＨＤＤ）、１６  キャリッジとしてのヘッドアクチュエータ部材、１８  支軸、２３  ボイスコイルモータ、２８  ランプ部材、４１  突出部としての突出片、４２  ラッチ部材、４３  回転軸、４８  平坦面、４９  第１磁性体としての第１磁性片、５１  第２磁性体としての第２磁性片。
【図１】
2007172801.tif 000003
【図２】
2007172801.tif 000004
【図３】
2007172801.tif 000005
【図４】
2007172801.tif 000006
【図５】
2007172801.tif 000007
【図６】
2007172801.tif 000008
【図７】
2007172801.tif 000009